(57)【要約】【課題】資材費を低減化し、保管に場所をとらず、設置及び撤去作業に労力及び時間を要さず、保持部材の張力を容易に調整でき、アスパラガスの倒伏防止効果も低下しないアスパラガス倒伏防止装置を提供する。【解決手段】畦に沿って定植したアスパラガスの茎葉部の間に支柱２，２，・・・を所定間隔で立設し、両端部に一対の支柱３，３を立設する。立設した支柱２の上端部にロープ保持部材４の装着基部４ａを上方から挿入し、支柱２の上端部に装着する。ロープ５を保持杆部４ｂの先端部に形成された挿通環部４ｃ内に挿通し、その両端部を支柱３，３の上端部に縛着して、アスパラガス倒伏防止装置１を構成する。【選択図】図１
2007259822.tif 000002
【特許請求の範囲】
【請求項１】
畦の長さ方向中間部に立設される複数の支柱と、両端部に立設される一対の支柱と、前記畦の長さ方向中間部に立設される支柱に装着されるロープ保持部材と、このロープ保持部材に保持され、前記両端部に立設される一対の支柱に縛着されるロープとから構成されるアスパラガス倒伏防止装置。
【請求項２】
前記中間部に立設される支柱は、薄肉円管であって、前記ロープ保持部材は、装着基部を形成してあって、その装着基部を前記中間部に立設される支柱の上端部に挿入することによって、支柱にロープ保持部材が装着されることを特徴とする請求項１に記載のアスパラガス倒伏防止装置。
【請求項３】
前記ロープ保持部材は、下方に延出する装着基部及び側方に延出する保持杆部を有しており、この保持杆部に前記ロープを保持するようにしたことを特徴とする請求項２に記載のアスパラガス倒伏防止装置。
【請求項４】
前記ロープ保持部材は、前記保持杆部の先端部に挿通環部を形成してあり、この挿通環部内に前記ロープを挿通して、保持するようにしたことを特徴とする請求項３に記載のアスパラガス倒伏防止装置。
【発明の詳細な説明】
【技術分野】
【０００１】
本発明は、アスパラガスを立茎栽培する際に、アスパラガスの茎葉部が倒伏するのを防止するアスパラガス倒伏防止装置に関する。
【背景技術】
【０００２】
アスパラガスを長期に亘って収穫できる栽培方法として、アスパラガスを立茎栽培する方法が採用されている。この立茎栽培においては、アスパラガスの収穫量を増大するために、定植初年目から夏秋期において、アスパラガスの茎葉部の倒伏防止処理を施すことが望ましい（例えば、特許文献１参照）。
倒伏防止処理を施すことによって、斑点病の発生を抑制できると共に、受光体勢の悪化を防止できる。これにより、光合成の効率化を図ることができ、貯蔵根に十分な栄養を蓄積できて、来春のアスパラガスの収穫量を増大させることができる。
【０００３】
【特許文献１】特開平１０−２８４６６号公報
【０００４】
アスパラガスの茎葉部の倒伏防止処理に使用される装置として、図４に示すように、畦に沿って定植したアスパラガスの両側に一対の支柱５２，５３を設置し、このような一対の支柱５２，５３を畦に沿って所定間隔で設置し、それら支柱５２，５３の所定高さにネット５４を水平に張設したネット張設式倒伏防止装置５１が知られている。
【０００５】
このネット張設式倒伏防止装置５１では、アスパラガスの茎葉部の上部をネット５４の網目５４ａから上方に突出させ、ネット５４の網目５４ａによって茎葉部を支持し、倒伏させないようにしている。
【０００６】
又、図５に示すように、畦に沿って定植したアスパラガスの間に一本の支柱６２を設置し、このような支柱６２を畦に沿って所定間隔で設置し、それら支柱６２，６２の所定高さに環状としたプラスチックテープ６３，６４を二段に架設したテープ架設式倒伏防止装置６１も知られている。
【０００７】
このテープ架設式倒伏防止装置６１では、アスパラガスの茎葉部の上部を環状としたプラスチックテープ６３，６４の内側から上方に突出させ、プラスチックテープ６３，６４によって茎葉部を支持し、倒伏させないようにしている。
【発明の開示】
【発明が解決しようとする課題】
【０００８】
しかし、前記ネット張設式倒伏防止装置５１は、畦に沿って両側に一対の支柱５２，５３を設置するから、支柱５２，５３の本数は多く、ネット５４をも使用するので、資材費が高くなり、保管に場所をとると共に、設置及び撤去作業に労力及び時間を要した。
又、ネット５４を使用するので、ネット５４を一旦設置した後に、ネット５４の張力を調整するのは困難であると共に、数年程度の耐久性しかなかった。
さらに、アスパラガスの両側に支柱５２，５３を設置するから、アスパラガスの生育途中において、中耕、害虫防除等の管理作業を行なう際、支柱５２，５３が邪魔になって作業がし難かった。
【０００９】
一方、前記テープ架設式倒伏防止装置６１は、支柱６２，６２間にプラスチックテープ６３，６４を張力付勢して架設するため、支柱６２，６２の間隔を狭くする必要があり、支柱６２の本数は多くなり、資材費が高くなり、保管に場所をとった。
又、テープ６３，６４を架設するため、テープ６３，６４を一旦設置した後に、テープ６３，６４の張力を調整するのは困難であると共に、テープは一年程度の耐久性しかなかった。
さらに、プラスチックテープ６３，６４は劣化し易く、架設張力が緩んでくるため、アスパラガスの生育後半では、アスパラガスの倒伏防止効果は低下した。
【００１０】
本発明は、かかる従来の問題点に鑑みて為されたものであって、その目的とするところは、資材費を低減化し、保管に場所をとらず、設置及び撤去作業に労力及び時間をも要さないアスパラガス倒伏防止装置を提供することにある。
又、一旦設置した後にも、保持部材の張力を容易に調整できると共に、保持部材の耐久性も高いアスパラガス倒伏防止装置を提供することにある。
さらに、アスパラガスの生育途中では、部材が邪魔にならずに管理作業がし易く、アスパラガスの生育後半では、アスパラガスの倒伏防止効果が低下しないアスパラガス倒伏防止装置を提供することにある。
【課題を解決するための手段】
【００１１】
上記目的を達成するために、本発明のアスパラガス倒伏防止装置は、畦の長さ方向中間部に立設される複数の支柱と、両端部に立設される一対の支柱と、前記畦の長さ方向中間部に立設される支柱に装着されるロープ保持部材と、このロープ保持部材に保持され、前記両端部に立設される一対の支柱に縛着されるロープとから構成される。
【００１２】
ここで、中間部に立設される支柱は、薄肉円管であって、前記ロープ保持部材は、装着基部を形成してあって、その装着基部を前記支柱の上端部に挿入することによって、支柱にロープ保持部材が装着されるようにしてもよい。
【００１３】
前記ロープ保持部材は、下方に延出する装着基部及び側方に延出する保持杆部を有しており、この保持杆部に前記ロープを保持するようにしてもよい。
【００１４】
前記ロープ保持部材は、前記保持杆部の先端部に挿通環部を形成してあり、この挿通環部内に前記ロープを挿通して、保持するようにしてもよい。
【発明を実施するための最良の形態】
【００１５】
以下、本発明のアスパラガス倒伏防止装置の好適な実施形態について、図面を参照して説明する。
図１は、本発明のアスパラガス倒伏防止装置の外観斜視図であり、図２は、ロープ保持部材を支柱に装着する方法を示す説明図であり、図３は、本発明のアスパラガス倒伏防止装置における支柱の配置図である。
【００１６】
本発明のアスパラガス倒伏防止装置１は、図１乃至３に示すように、中間部の支柱２，２，・・・、両端部の支柱３，３、ロープ保持部材４，４，・・・及びロープ５，５とから構成されている。
【００１７】
中間部の支柱２は、ステンレス鋼等の金属材料から成形された薄肉円管であって、畦に沿って所定間隔で立設される。
両端部の支柱３も、ステンレス鋼等の金属材料から成形された薄肉円管であって、畦の長さ方向両端部に、畦の幅方向に一対となって立設される。
【００１８】
ロープ保持部材４は、図２に示すように、ステンレス鋼等の金属製棒材を屈曲成形し、下方に延出する装着基部４ａ、側方に延出する保持杆部４ｂ及び保持杆部４ｂの先端部に形成された挿通環部４ｃから構成され、その装着基部４ａを前記支柱２の上端部に挿入して使用される。
【００１９】
ロープ５は、ポリエチレン（ＰＥ）、ポリプロピレン（ＰＰ）等のプラスチック材料から成る線材であって、前記ロープ保持部材４の挿通環部４ｃに挿通されて使用される。
【００２０】
本発明のアスパラガス倒伏防止装置１は、以上のような構成部材から成り、以下のように設置されて使用される。
【００２１】
先ず、図１及び３に示すように、畦に沿って定植したアスパラガスの茎葉部の間に支柱２，２，・・・を所定間隔で立設していく。そして、畦の長さ方向両端部には、畦の幅方向に所定間隔で一対の支柱３，３を立設する。
【００２２】
次に、図２に示すように、立設した支柱２の上端部に、ロープ保持部材４の装着基部４ａを上方から挿入し、図１に示すように、支柱２の上端部に装着する。この時、ロープ保持部材４の保持杆部４ｂ，４ｂは、略水平状態となっている。
【００２３】
次に、ロープ５を保持杆部４ｂの先端部に形成された挿通環部４ｃ内に挿通し、その両端部を一対の支柱３，３の上端部外周に張力付勢した状態で縛着することによって、アスパラガス倒伏防止装置１は設置される。
【００２４】
本発明のアスパラガス倒伏防止装置１によれば、畦に沿って幅方向に所定間隔で張設されたロープ５，５によって、畦に沿って定植されたアスパラガスの茎葉部が外方に傾斜するのを阻止することができ、倒伏するのを防止することができる。
【００２５】
本発明のアスパラガス倒伏防止装置１は、畦に沿って一列に支柱２，２，・・・を立設し、両端部のみ一対の支柱３，３を立設するものであるから、従来のネット張設式倒伏防止装置５１に比較して、支柱２，３は約半数と少なくなるから、資材コストを大幅に削減することができ、保管に場所をとらないと共に、設置及び撤去作業にそれほど労力及び時間を要しない。
又、ロープ５を挿通環部４ｃ内に挿通し、その両端部を支柱３，３の上端部に縛着するものであるから、ロープ５を中間部で張力付勢する必要はない。よって、従来のテープ架設式倒伏防止装置６１の如く、支柱２，２の間隔を狭くする必要はないから、支柱２の本数は少なくなり、資材コストを大幅に削減する等できる。
【００２６】
又、ロープ５の両端部を支柱３，３の上端部に縛着しただけであるから、ロープ５を張設した後にあっても、ロープ５の両端部を一旦解き、再度縛着することによって、ロープ５の張力を容易に調整することができる。
さらに、ネット５４、テープではなく、比較的に強度の高いロープ５を使用するから、十分な耐久性を有し、相当年数再使用することができる。
【００２７】
又、ネット張設式倒伏防止装置５１の如く、アスパラガスの茎葉部の両側に支柱５２，５３を設置するものではないから、アスパラガスの生育途中において、中耕、害虫防除等の管理作業を行なう際、支柱２が邪魔になって作業がし難いということはない。
【００２８】
さらに、ロープ５は早期には劣化することはなく、もし架設張力が緩んだとしても、上記の如く、直ちにロープ５の張力を調整することができるから、アスパラガスの生育後半において、アスパラガスの倒伏防止効果が低下するということはない。
【図面の簡単な説明】
【００２９】
【図１】本発明のアスパラガス倒伏防止装置の外観斜視図である。
【図２】ロープ保持部材を支柱に装着する方法を示す説明図である。
【図３】本発明のアスパラガス倒伏防止装置における支柱の配置図である。
【図４】従来のアスパラガス倒伏防止装置であるネット張設式倒伏防止装置の外観斜視図である。
【図５】従来のアスパラガス倒伏防止装置であるテープ架設式倒伏防止装置の外観斜視図である。
【符号の説明】
【００３０】
１  アスパラガス倒伏防止装置
２  支柱
３  支柱
４  ロープ保持部材
４ａ  装着基部
４ｂ  保持杆部
４ｃ  挿通環部
５  ロープ
【図１】
2007259822.tif 000003
【図２】
2007259822.tif 000004
【図３】
2007259822.tif 000005
【図４】
2007259822.tif 000006
【図５】
2007259822.tif 000007